(57)【要約】【課題】無線ＵＥが新しい基地局に移動するときに発生するデータ損失の問題を効率的に制御するための移動通信システムでのシグナリング方法を提供する。【解決手段】第１基地局と、第２基地局と、前記第１基地局及び前記第２基地局を制御する基地局制御ノードとを有する移動通信システムで信号を通信する方法において、移動局から前記第１基地局及び前記第２基地局のうち一つに、前記第１基地局及び第２基地局のうち一つから受信されるか、前記移動局から前記第１基地局及び前記第２基地局のうち一つに伝送される一つ以上のデータユニットを指示する一連番号を含む第１制御メッセージを伝送する段階と；前記第１基地局及び前記第２基地局のうち一つが、前記一連番号によって指示された前記一つ以上のデータユニットを通信する段階と；を含む信号通信方法を構成する。【選択図】図４
2008547261.tif 000002
【特許請求の範囲】
【請求項１】
第１基地局と、第２基地局と、前記第１基地局及び前記第２基地局を制御する基地局制御ノードとを有する移動通信システムで信号を通信する方法において、
移動局から前記第１基地局及び前記第２基地局のうち一つに、前記第１基地局及び第２基地局のうち一つから受信されるか、前記移動局から前記第１基地局及び前記第２基地局のうち一つに伝送される一つ以上のデータユニットを指示する一連番号を含む第１制御メッセージを伝送する段階と；
前記第１基地局及び前記第２基地局のうち一つが、前記一連番号によって指示された前記一つ以上のデータユニットを通信する段階と；を含み、
前記第１基地局及び第２基地局は、前記基地局制御ノードによって制御されずに情報を交換することを特徴とする移動通信システムでの信号通信方法。
【請求項２】
前記伝送段階は、前記移動局がハンドオーバー動作を実施するときに行われることを特徴とする請求項１に記載の移動通信システムでの信号通信方法。
【請求項３】
前記第１基地局はソース基地局で、前記第２基地局はターゲット基地局であることを特徴とする請求項１に記載の移動通信システムでの信号通信方法。
【請求項４】
前記第１制御メッセージは、前記ターゲット基地局に伝送されることを特徴とする請求項３に記載の移動通信システムでの信号通信方法。
【請求項５】
前記移動局から前記ソース基地局へのデータ伝送の停止を指示する第２制御メッセージを伝送する段階をさらに含むことを特徴とする請求項３に記載の移動通信システムでの信号通信方法。
【請求項６】
前記基地局制御ノードは、接続ゲートウェイであることを特徴とする請求項１に記載の移動通信システムでの信号通信方法。
【請求項７】
前記基地局制御ノードは、第１エンティティ及び第２エンティティを含み、前記第１エンティティは使用者トラフィックを制御し、第２エンティティは移動性管理を制御することを特徴とする請求項１に記載の移動通信システムでの信号通信方法。
【請求項８】
前記第１エンティティは使用者平面エンティティ（ｕｓｅｒ  ｐｌａｎｅ  ｅｎｔｉｔｙ；ＵＰＥ）で、第２エンティティは移動性管理エンティティ（ｍｏｂｉｌｉｔｙ  ｍａｎａｇｅｍｅｎｔ  ｅｎｔｉｔｙ；ＭＭＥ）であることを特徴とする請求項７に記載の移動通信システムでの信号通信方法。
【請求項９】
前記各基地局は、媒体接近制御（ｍｅｄｉｕｍ  ａｃｃｅｓｓ  ｃｏｎｔｒｏｌ；ＭＡＣ）階層を含むことを特徴とする請求項１に記載の移動通信システムでの信号通信方法。
【請求項１０】
前記各基地局は、無線リンク制御（ｒａｄｉｏ  ｌｉｎｋ  ｃｏｎｔｒｏｌ；ＲＬＣ）階層をさらに含むことを特徴とする請求項９に記載の移動通信システムでの信号通信方法。
【請求項１１】
第１基地局と、第２基地局と、前記第１基地局及び前記第２基地局を制御する基地局制御ノードとを有する移動通信システムで信号を通信する方法において、
前記第１基地局で、移動局に伝送されるか、前記移動局から受信される一つ以上のデータを指示する一連番号を含む第１制御メッセージを前記移動局から受信する段階と；
前記一連番号によって指示される前記一つ以上のデータユニットを前記移動局が通信する段階と；を含み、
前記第１基地局及び第２基地局は、前記基地局制御ノードによって制御されずに情報を交換することを特徴とする移動通信システムでの信号通信方法。
【請求項１２】
前記受信段階は、前記移動局がハンドオーバー動作を実施するときに行われることを特徴とする請求項１１に記載の移動通信システムでの信号通信方法
【請求項１３】
前記第１基地局はターゲット基地局で、前記第２基地局はソース基地局であることを特徴とする請求項１１に記載の移動通信システムでの信号通信方法。
【請求項１４】
前記移動局からのデータ伝送の停止を指示する第２制御メッセージが前記ソース基地局に伝送されることを特徴とする請求項１３に記載の移動通信システムでの信号通信方法。
【請求項１５】
前記基地局制御ノードは、接続ゲートウェイであることを特徴とする請求項１１に記載の移動通信システムでの信号通信方法。
【請求項１６】
前記基地局制御ノードは、第１エンティティ及び第２エンティティを含み、前記第１エンティティは使用者トラフィックを制御し、第２エンティティは移動性管理を制御することを特徴とする請求項１１に記載の移動通信システムでの信号通信方法。
【請求項１７】
前記第１エンティティは使用者平面エンティティ（ｕｓｅｒ  ｐｌａｎｅ  ｅｎｔｉｔｙ；ＵＰＥ）で、第２エンティティは移動性管理エンティティ（ｍｏｂｉｌｉｔｙ  ｍａｎａｇｅｍｅｎｔ  ｅｎｔｉｔｙ；ＭＭＥ）であることを特徴とする請求項１６に記載の移動通信システムでの信号通信方法。
【請求項１８】
前記各基地局は、媒体接近制御（ｍｅｄｉｕｍ  ａｃｃｅｓｓ  ｃｏｎｔｒｏｌ；ＭＡＣ）階層を含むことを特徴とする請求項１１に記載の移動通信システムでの信号通信方法。
【請求項１９】
前記各基地局は、無線リンク制御（ｒａｄｉｏ  ｌｉｎｋ  ｃｏｎｔｒｏｌ；ＲＬＣ）階層をさらに含むことを特徴とする請求項１８に記載の移動通信システムでの信号通信方法。
【請求項２０】
第１基地局と、第２基地局と、前記第１基地局及び前記第２基地局を制御する基地局制御ノードとを有する移動通信システムで信号を通信する方法において、
前記第１基地局で、移動局に伝送されるか、前記移動局から受信される一つ以上のデータユニットを指示する一連番号を含む第１制御メッセージを前記移動局から受信する段階と；
前記第２基地局に前記一連番号を含む第２制御メッセージを伝送する段階と；を含み、
前記第１基地局及び第２基地局は、前記基地局制御ノードによって制御されずに情報を交換することを特徴とする移動通信システムでの信号通信方法。
【発明の詳細な説明】
【技術分野】
【０００１】
本発明は、移動通信システムでの信号通信方法に関するもので、より具体的には、移動通信システムでハンドオーバーと関連した制御情報を処理する方法に関するものである。
【背景技術】
【０００２】
一般的に、本発明は、多様な通信システムに適用される。ＵＭＴＳ（Ｕｎｉｖｅｒｓａｌ  ｍｏｂｉｌｅ  ｔｅｌｅｃｏｍｍｕｎｉｃａｔｉｏｎ  ｓｙｓｔｅｍ）から進化したＬＴＥ（ｌｏｎｇ  ｔｅｒｍ  ｅｖｏｌｕｔｉｏｎ）ネットワークは、以下で本発明が適用可能な前記多様なシステムの一例として説明される。
【０００３】
図１は、従来の関連技術または本発明が適用される移動通信システムとしてのＬＴＥネットワークのブロック図である。
【０００４】
ＬＴＥネットワークシステムは、従来のＵＭＴＳシステムから進化した。そして、３ＧＰＰは、ＬＴＥシステムの基本的な標準化作業を進行している。
【０００５】
ＬＴＥネットワークは、使用者装置（ｕｓｅｒ  ｅｑｕｉｐｍｅｎｔ；以下、ＵＥと略称する。）と、基地局（ｂａｓｅ  ｓｔａｔｉｏｎ；以下、ｅＮｏｄｅ  Ｂと略称する。）と、外部ネットワークに連結されるネットワークの終端に位置する接続ゲートウェイ（ａｃｃｅｓｓ  ｇａｔｅｗａｙ；以下、ＡＧと略称する。）とから構成される。
【０００６】
ＡＧは、使用者トラフィック処理を担当するＵＰＥ（ｕｓｅｒ  ｐｌａｎｅ  ｅｎｔｉｔｙ）ノード（ｎｏｄｅ）と、制御を担当するＭＭＥ（ｍｏｂｉｌｉｔｙ  ｍａｎａｇｅｍｅｎｔ  ｅｎｔｉｔｙ）とを含む。この場合、ＭＭＥ及びＵＰＥノードは、新しいインターフェース仲介者（ｉｎ−ｂｅｔｗｅｅｎ）を通して相互間の通信が可能である。
【０００７】
一つのｅＮｏｄｅ  Ｂには、一つ以上のセルが存在する。使用者及び制御トラフィック伝送のためのＸ２インターフェースは、各ｅＮｏｄｅ  Ｂの間で定義される。そして、インターフェースＳ１は、ｅＮｏｄｅ  ＢとＡＧとの間で定義される。
【０００８】
端末とネットワークとの間の無線インターフェースプロトコルの各階層は、通信システムで広く知られた開放型システム相互間連結（ｏｐｅｎ  ｓｙｓｔｅｍ  ｉｎｔｅｒｃｏｎｎｅｃｔｉｏｎ；以下、ＯＳＩと略称する。）の参照モデルの３個の下位階層に基づいたＬ１（第１階層）、Ｌ２（第２階層）及びＬ３（第３階層）に分類される。第１階層に属する物理階層は、物理チャネルを使用して情報伝達サービスを提供する。第３階層内に位置した無線資源制御（ｒａｄｉｏ  ｒｅｓｏｕｒｃｅ  ｃｏｎｔｒｏｌ；以下、ＲＲＣと略称する。）階層は、端末とネットワークとの間での無線資源を制御する役割をする。このために、各ＲＲＣ階層は、ＲＲＣメッセージが端末とネットワークとの間で交換されるようにする。各ＲＲＣ階層は、ｅＮｏｄｅ  Ｂを含むネットワークノードにそれぞれ分配される。その代わりに、ＲＲＣ階層は、ｅＮｏｄｅ  ＢまたはＡＧに位置することができる。
【０００９】
図２は、３ＧＰＰ無線接続ネットワーク規格に基づいたＵＥとＵＴＲＡＮ（ＵＭＴＳ  ｔｅｒｒｅｓｔｒｉａｌ  ｒａｄｉｏ  ａｃｃｅｓｓ  ｎｅｔｗｏｒｋ）との間の無線インターフェースプロトコルの構造図である。
【００１０】
図２に示すように、無線インターフェースプロトコルは、垂直的には物理階層、データリンク階層及びネットワーク階層を含み、水平的にはデータ情報伝達のための使用者平面及びシグナリング伝達のための制御平面を含む。
【００１１】
図２のプロトコル階層は、通信システムで広く知られたＯＳＩの３個の下位階層に基づいたＬ１（第１階層）、Ｌ２（第２階層）及びＬ３（第３階層）に分類される。
【００１２】
図２に示した無線プロトコル制御平面及び図３に示した無線プロトコル使用者平面の各階層は、次のように説明される。
【００１３】
まず、第１階層の物理階層は、物理チャネルを使用して上位階層に情報伝達サービスを提供する。物理階層は、伝送チャネルを通して物理階層上の媒体接近制御（ｍｅｄｉｕｍ  ａｃｃｅｓｓ  ｃｏｎｔｒｏｌ；以下、ＭＡＣと略称する。）階層に連結される。そして、データは、伝送チャネルを通してＭＡＣ階層と物理階層との間で伝達される。また、データは、他の物理階層の間、より具体的には、伝送側の物理階層と受信側の他の物理階層との間で物理チャネルを用いて伝達される。
【００１４】
第２階層のＭＡＣ階層は、論理チャネルを通してＭＡＣ階層上の無線リンク制御（ｒａｄｉｏ  ｌｉｎｋ  ｃｏｎｔｒｏｌ；以下、ＲＬＣと略称する。）階層にサービスを提供する。第２階層のＲＬＣ階層は、信頼性のあるデータ伝達を支援する。
【００１５】
ＲＬＣ階層の機能は、ＭＡＣ内の機能ブロックによって具現される。この場合、ＲＬＣ階層が存在しないこともある。そして、ＭＡＣ及びＲＬＣ階層は、ネットワークのｅＮｏｄｅ  Ｂ内に存在する。
【００１６】
第２階層のパケットデータ集中プロトコル（ｐａｃｋｅｔ  ｄａｔａ  ｃｏｎｖｅｒｇｅｎｃｅ  ｐｒｏｔｏｃｏｌ；以下、ＰＤＣＰと略称する。）は、ＩＰｖ４及びＩｐｖ６などのＩＰパケットが効率的に伝送されるように、相対的に大きな大きさを有する不必要な制御情報を含むＩＰパケットヘッダの大きさを減少させるヘッダ圧縮機能をする。ＰＤＣＰ階層は、ネットワークのＡＧ内に存在する。ＰＤＣＰ階層は、ＭＭＥに存在するか、または、ＭＭＥ及びＵＰＥにそれぞれ存在する。
【００１７】
第３階層の最も高い部分に位置するＲＲＣ階層は、制御平面内のみに定義され、論理、伝送及び物理チャネルの制御を担当する無線ベアラ（ｒａｄｉｏ  ｂｅａｒｅｒ；以下、ＲＢと略称する。）の設定、再設定及び解除と関連している。この場合、ＲＢは、ＵＥとＵＴＲＡＮとの間でのデータ伝達のための第２階層によって提供されるサービスを意味する。そして、ネットワーク内のＲＲＣ階層は、ｅＮｏｄｅ  Ｂに位置する。
【００１８】
ネットワークからＵＥにデータを伝達するダウンリンク伝送チャネルとしては、システム情報を伝達するブロードキャストチャネル（ｂｒｏａｄｃａｓｔ  ｃｈａｎｎｅｌ；ＢＣＨ）と、使用者トラフィックまたは制御メッセージを伝達するダウンリンク共有チャネル（ｄｏｗｎｌｉｎｋ  ｓｈａｒｅｄ  ｃｈａｎｎｅｌ；以下、ＳＣＨと略称する。）とがある。
【００１９】
そして、ＲＢの設定は、プロトコル階層及び特定のサービスを提供するために必要な各チャネルの特性を調節する過程と、それら特定のパラメータ及び動作方法を設定する過程をそれぞれ意味する。ダウンリンクマルチキャストまたはブロードキャストのトラフィックまたは制御メッセージは、ダウンリンクＳＣＨまたは個々のマルチキャストチャネル（ｍｕｌｔｉｃａｓｔ  ｃｈａｎｎｅｌ；ＭＣＨ）を通して伝送される。
【００２０】
また、ＵＥからネットワークにデータを伝達するアップリンク伝送チャネルとしては、初期制御メッセージを伝達するＲＡＣＨ（ｒａｎｄｏｍ  ａｃｃｅｓｓ  ｃｈａｎｎｅｌ）と、使用者トラフィックまたは制御メッセージを伝達するアップリンクＳＣＨとがある。
【発明の開示】
【発明が解決しようとする課題】
【００２１】
したがって、本発明は、従来の関連技術の制限及び短所による一つ以上の問題を本質的に回避する移動通信システムでのシグナリング方法を指向する。
【００２２】
本発明の目的は、無線ＵＥが新しい基地局に移動するときに発生するデータ損失の問題を効率的に制御するための移動通信システムでのシグナリング方法を提供することにある。
【００２３】
無線ＵＥが新しい基地局に移動するときに発生しうるデータ損失問題を直ちに制御するために、本発明は、無線ＵＥが前記新しい基地局から前記同一のサービスを受信しようとする場合、前記無線ＵＥが受信しようとする特定のデータのための一連番号を前記無線ＵＥが前記新しい基地局に伝達することを特徴とする。従来の関連技術と異なって、本発明は、前記新しい基地局に移動するＵＥが、そのＵＥが受信しようとする特定のデータに対する一連番号を前記新しい基地局に伝達することを特徴とする。
【００２４】
本発明の付加的な特徴及び長所は、以下の説明で展開されるもので、部分的に前記説明から明白になるか、本発明の練習を通して習得されるだろう。本発明の目的及び他の長所は、この文書に添付された図面のみならず、記述された説明及び特許請求の範囲で具体的に指摘された構造によって実現・獲得される。
【課題を解決するための手段】
【００２５】
本発明の上記のような長所を達成し、本発明の目的に符合するために、具現されて広範囲に記載されたように、複数の基地局、前記各基地局の上位で制御動作を行う制御ノード、及び前記各基地局の上位で使用者トラフィックを処理する処理ノードを含む無線ネットワークからサービスを受信する無線使用者装置において、本発明に係る移動通信システムでのシグナリング方法は、第１基地局によって提供される特定のサービスを要請する要請メッセージを第２基地局に伝送し、前記要請メッセージは、前記無線使用者装置によって受信されるデータを指示する制御情報を含み、前記第２基地局から前記制御情報に該当する前記データを受信する段階を含む。
【００２６】
前記制御情報は、前記無線使用者装置によって受信される前記データの一連番号のための情報であることが好ましい。
【００２７】
前記制御情報は、ダウンリンクデータユニットのための一連番号に対する情報であることが好ましい。
【００２８】
前記制御情報は、前記第１基地局から完全に受信されていない前記データを指示する一連番号であることが好ましい。
【００２９】
前記制御情報は、前記第１基地局のＲＬＣまたはＭＡＣ階層のデータユニットに該当する一連番号であることが好ましい。
【００３０】
前記無線使用者装置は、前記一番目の基地局から前記二番目の基地局へのハンドオーバーを遂行することが好ましい。
【００３１】
前記方法は、前記二番目の基地局へのデータ伝送／受信を停止するように要請するメッセージを伝送する段階をさらに含むことが好ましい。
【００３２】
前記方法は、前記複数の基地局に対するチャネル品質を測定し、前記チャネル品質に対する測定結果を前記複数の基地局のうち一つ以上に伝送する段階をさらに含むことが好ましい。
【００３３】
前記方法は、前記複数の基地局に対するチャネル品質を測定し、前記チャネル品質に対する測定結果を前記制御ノードに伝送する段階をさらに含むことが好ましい。
【００３４】
本発明の上記のような長所をさらに達成し、本発明の目的に符合するために、複数の基地局、前記各基地局の上位で制御動作を行う制御ノード、及び前記各基地局の上位で使用者トラフィックを処理する処理ノードを含む無線ネットワーク上の特定の第１基地局において、移動通信システムでのシグナリング方法は、無線使用者装置から第２基地局によって提供された特定のサービスを要請する要請メッセージを受信し、前記処理ノードに前記無線使用者装置のためのデータ伝送／受信開始を要請する段階を含む。
【００３５】
前記第２基地局は、前記無線使用者装置からの前記無線使用者装置に対する前記データ伝送／受信停止を要請するメッセージを受信することが好ましい。
【００３６】
前記第２基地局は、前記処理ノードに前記無線使用者装置に対する前記データ伝送／受信停止を要請することがさらに好ましい。
【００３７】
前記方法は、前記無線使用者装置に対するアクティブセット内に前記第１基地局を含むように要請するメッセージを前記制御ノードに伝送する段階をさらに含むことが好ましい。
【００３８】
前記方法は、前記無線使用者装置に対するアクティブセットから前記第１基地局を除去するように要請するメッセージを伝送する段階をさらに含むことが好ましい。
【００３９】
前記方法は、前記第１基地局が前記無線使用者装置に対するアクティブセット内に含まれるかどうかを指示する情報を前記制御ノードから受信する段階をさらに含むことが好ましい。
【００４０】
本発明の上記のような長所をさらに達成し、本発明の目的に符合するために、複数の基地局、前記各基地局の上位で制御動作を行う制御ノード、及び前記各基地局の上位で使用者トラフィックを処理する処理ノードを含む無線ネットワーク上の特定の第１基地局において、移動通信システムでのシグナリング方法は、ハンドオーバーを遂行する無線使用者装置に伝送されるデータを指示する制御情報を含む使用者装置情報を第２基地局から受信し、前記処理ノードから前記無線使用者装置への／からのデータ伝送／受信開始を指示するメッセージを受信し、前記無線使用者装置に前記制御情報に該当する前記データを伝送する段階を含む。
【００４１】
上述した一般的な説明及び以下の詳細な説明は、全て例示的及び説明的なもので、請求されたような前記発明に対する一層詳細な説明を提供する。
【発明を実施するための最良の形態】
【００４２】
以下、添付された図面に示した例題である本発明の好適な実施例に対して詳細に説明する。
【００４３】
従来の関連技術において、ＵＥは、新しい基地局（ｅＮｏｄｅ  Ｂ）に移動しながら基地局制御器（ＲＮＣ）にシグナリングを伝達する。しかし、ＵＥが新しい基地局に移動するときに発生しうるデータ損失問題を基地局制御器のみが制御できるので、データ制御が遅くなる。
【００４４】
本文書は、無線ＵＥが新しい基地局に移動するときに発生するデータ損失の問題を効率的に制御するためのシグナリング方法を提供する。
【００４５】
以下、本発明の各実施例に係るハンドオーバー方法を、図４〜図６を参照して説明する。
【００４６】
まず、図４〜図６に示したネットワークエンティティは、多様な機能を行うことができる。
【００４７】
ノードを支援するサービングＧＰＲＳ（ｓｅｒｖｉｎｇ  ＧＰＲＳ；以下、ＳＧＳＮと略称する。）は、ｅＮｏｄｅ  Ｂに使用者トラフィックを伝送するＵＰＥ機能を担当し、Ｅ−ＲＮＣは、多様な制御機能を担当するＭＭＥ機能を担当する。
【００４８】
ＳＧＳＮ及びＥ−ＲＮＣは、全てＡＧ内に含まれる。そのため、ＭＡＣ階層及びＲＬＣ階層はｅＮｏｄｅ  Ｂに位置し、ＰＤＣＰ階層はＳＧＳＮ内に位置する。
【００４９】
Ｔ−Ｅ−Ｎｏｄｅ  Ｂ（以下、ＴＮＢと略称する。）は、ＵＥが移動しようとする新しいターゲット基地局を指示し、Ｓ−Ｅ−Ｎｏｄｅ  Ｂ（以下、ＳＮＢと略称する。）は、ＵＥがハンドオーバー前に位置していた以前のソース基地局を指示する。
【００５０】
図４は、本発明の実施例に係る第１ハンドオーバー方法を示す。
【００５１】
図４に示すように、無線ＵＥがＳＮＢからＴＮＢへのハンドオーバー開始を決定すると、ＳＮＢは、ＴＮＢにコンテナ（ｃｏｎｔａｉｎｅｒ）を伝達する。コンテナは、ハンドオーバー動作を遂行するＵＥと関連した情報を含む。この場合、ＵＥによって受信／伝送されたデータの一連番号（ｓｅｑｕｅｎｃｅ  ｎｕｍｂｅｒ；ＳｅｑＮｕｍ）はコンテナに含まれる。
【００５２】
ＴＮＢは、前記一連番号によるハンドオーバー動作を遂行するＵＥにデータユニットを伝達する。具体的に、ＴＮＢは、その一連番号に該当するＲＬＣまたはＭＡＣ階層のデータユニットを前記ＵＥに伝送する。一連番号は、ＵＥに伝送された一つ以上のデータユニットを確認する番号に対する情報で、多様な形態で具現される。一連番号は、例えば、ＲＬＣまたはＭＡＣ階層によって管理されることが好ましい。
【００５３】
図５は、本発明の実施例に係る第２ハンドオーバー方法を示す。
【００５４】
図５に示すように、ハンドオーバーを開始する前に、ＵＥは、ＳＮＢにデータ伝送／受信（フロー停止メッセージ（Ｆｌｏｗ  Ｓｕｓｐｅｎｄ  ｍｅｓｓａｇｅ））を停止すべきであることを知らせ、ＴＮＢにデータ伝送／受信（フロー要請メッセージ）を開始すべきであることを知らせる。
【００５５】
フロー停止メッセージは、図５に示した‘５０１’のように伝送され、フロー要請メッセージは、図５に示した‘５０２’のように伝送される。
【００５６】
この場合、ＵＥによって伝送／受信されるＲＬＣまたはＭＡＣ階層のデータユニットの一連番号は、ＵＥによってＴＮＢに伝送されるメッセージ内に含まれる（５０３）。この例題において、ダウンリンク一連番号ＤＬ＿ＳｅｑＮｕｍが伝送される。
【００５７】
ＴＮＢは、情報を受信した後、その一連番号に該当するＲＬＣまたはＭＡＣの一つ以上のデータユニットを伝送することができる。ダウンリンク一連番号は、基地局、すなわち、ＴＮＢからＵＥに伝送されるダウンリンクデータを確認するための一連番号で、ＲＬＣまたはＭＡＣ階層によって制御される。
【００５８】
ＮＢの上位ノードとしてのＳＧＳＮの伝送／受信制御がハンドオーバーのために要請されると、フロー停止メッセージを受信したＳＮＢは、ＳＧＳＮにデータ伝送／受信を停止すべきであることを知らせる（５０４）。フロー要請メッセージを受信したＴＮＢは、ＳＧＳＮにデータ伝送／受信開始を要請することができる（５０５）。
【００５９】
データ伝送／受信を要請する場合（５０５）、ＴＮＢは、ＵＥによって伝送される前記一連番号情報（５０６）をＳＧＳＮに伝達することができる。この場合、一連番号（５０６）は、ＳＧＳＮによって認識される必要がある。そのため、前記一連番号（５０６）は、ＳＧＳＮに位置したＰＤＣＰまたは保安階層によって管理される一連番号に該当する。すなわち、各一連番号は、一連番号が伝達されるネットワークエンティティによって認識可能な情報であるべきで、前記ネットワークエンティティによって管理される一連番号に該当すべきである。
【００６０】
図５に示すように、Ｅ−ＲＮＣは、ＵＥの移動性を支援するためにアクティブセット（ａｃｔｉｖｅ  ｓｅｔ）を管理することができる。具体的に、一つの特定のＵＥのためのデータ伝送／受信に使用される一つ以上のｅＮｏｄｅ  Ｂは、そのＵＥのためのアクティブセット内に含まれることで管理される。
【００６１】
このために、前記アクティブセットを管理するために、多数のセルの受信電力に関するＵＥの測定情報を受信する。測定情報は、ＳＮＢなどの基地局を通してＥ−ＲＮＣに伝達されるか、ＵＥからＥ−ＲＮＣに直接伝達される。図５において、ＴＮＢ及びＳＮＢは、全て特定のＵＥのためのアクティブセット内に含まれる。
【００６２】
一方、図５に示した実施例において、Ｅ−ＲＮＣは、アクティブセット内に含まれた各ｅＮｏｄｅ  Ｂ及びその該当するＳＧＳＮに情報（５０８）を伝達することができる。前記情報は、前記情報（５０８）を受信するｅＮｏｄｅ  Ｂがアクティブセット内に含まれることを指示する。
【００６３】
図６は、本発明の実施例に係る三番目のハンドオーバー方法のブロック図である。
【００６４】
図６に示すように、Ｅ−ＲＮＣは、ｅＮｏｄｅ  Ｂがその該当するｅＮｏｄｅ  Ｂによって作られた要請（アクティブセット要請；Ａｃｔｉｖｅ  Ｓｅｔ  Ｒｅｑｕｅｓｔ）によるアクティブセットに／から包含または除去されるようにする（６０１）。この場合、前記ｅＮｏｄｅ  Ｂは、ＵＥによって作られた要請（フロー要請／フロー停止）（６０３）によるアクティブセット内への／からの包含／除去を要請することができる。
【００６５】
一つのアクティブセットは、各ＵＥごとに管理される。ＵＥまたはｅＮｏｄｅ  Ｂは、本発明で提案されたフロー要請、フロー停止及び測定メッセージなどを通して、前記アクティブセット内に／から特定のｅＮｏｄｅ  Ｂまたはセルを包含／除去するための要請をＡＧにすることができる。一般的に、アクティブセット内の一つのｅＮｏｄｅ  Ｂは、該当するＵＥにデータを伝送したり、その該当するＵＥからデータを受信する。
【００６６】
一方、一つのＵＰＥが二つ以上のｅＮｏｄｅ  Ｂに同時にデータを伝送するバイキャスト（ｂｉ−ｃａｓｔ）の場合、前記二つ以上のｅＮｏｄｅ  Ｂはそのアクティブセット内に含まれる。
【００６７】
以上、本発明の好適な各実施例を説明してきたが、本発明の技術分野の当業者にとって、本発明の思想及び範囲を逸脱せずに多様な変更及び修正が可能であることは明白である。したがって、本発明は、添付された特許請求の範囲及びその均等物の範囲内に符合する本発明の修正及び変動を含む。
【産業上の利用可能性】
【００６８】
無線ＵＥが新しい基地局にハンドオーバーを遂行した後、その新しい基地局から同一のサービスを受信しようとする場合、本発明は、その無線ＵＥが受信しようとする特定のデータに対する一連番号を無線ＵＥが新しい基地局に伝達できるようにすることで、その無線ＵＥによって作られたハンドオーバー内で起こりうるデータ損失問題を無線ＵＥが直ちに制御できるようにする。
【図面の簡単な説明】
【００６９】
【図１】従来の関連技術または本発明が適用される移動通信システムとしてのＬＴＥネットワークのブロック図である。
【図２】３ＧＰＰ無線接続ネットワーク規格に基づいたＵＥとＵＴＲＡＮとの間の制御平面の構造図である。
【図３】３ＧＰＰ無線接続ネットワーク規格に基づいたＵＥとＵＴＲＡＮとの間の使用者平面の構造図である。
【図４】本発明の第１実施例に係るハンドオーバー方法に対するブロック図である。
【図５】本発明の第２実施例に係るハンドオーバー方法に対するブロック図である。
【図６】本発明の第３実施例に係るハンドオーバー方法に対するブロック図である。
【図１】
2008547261.tif 000003
【図２】
2008547261.tif 000004
【図３】
2008547261.tif 000005
【図４】
2008547261.tif 000006
【図５】
2008547261.tif 000007
【図６】
2008547261.tif 000008
【国際調査報告】
2008547261.tif 000009
2008547261.tif 000010